(57)【要約】【課題】データ伝送を簡単化し大量のデータの伝送の伝送時間を短縮する。【解決手段】画像源１と画像再生システム３との間のデータ伝送のために、画像源１によって画像再生システム３に、ディジタルＲ（赤），Ｇ（緑），Ｂ（青）ビデオ信号（Ｒ，Ｇ，Ｂ）がそれぞれＲ，Ｇ，Ｂライン対７，８，９を介して供給可能であり、かつ通信信号（ＳＤＡ）が供給可能である画像源と画像再生システムとの間のデータ伝送装置において、画像源１が、画像再生システム３に通信信号ＳＤＡを介して次の通信動作モード、すなわちＲ，Ｇ，Ｂライン対７，８，９の少なくとも１つのライン対を介してデータ伝送を行う通信動作モードを指示する通信動作モード指示手段１３を有し、画像再生システム３がデータ切換器１４，１５を備え、通信動作モード指示手段１３が画像再生システム３に通信動作モードを指示した場合に、データ切換器１４，１５がＲ，Ｇ，Ｂライン対７，８，９の少なくとも１つのライン対７をデータメモリ１６に接続する。【選択図】図１
2007159122.tif 000002
【特許請求の範囲】
【請求項１】
画像源（１）と画像再生システム（３）との間のデータ伝送のために、画像源（１）によって画像再生システム（３）に、ディジタルＲ（赤），Ｇ（緑），Ｂ（青）ビデオ信号（Ｒ，Ｇ，Ｂ）がそれぞれＲ，Ｇ，Ｂライン対（７，８，９）を介して供給可能であり、かつ通信信号（ＳＤＡ）が供給可能である画像源と画像再生システムとの間のデータ伝送装置において、
画像源（１）が、画像再生システム（３）に通信信号（ＳＤＡ）を介して次の通信動作モード、すなわちＲ，Ｇ，Ｂライン対（７，８，９）の少なくとも１つのライン対（７）を介してデータ伝送を行う通信動作モードを指示する通信動作モード指示手段（１３）を有し、
画像再生システム（３）がデータ切換器（１４，１５）を備え、通信動作モード指示手段（１３）が画像再生システム（３）に通信動作モードを指示した場合に、データ切換器（１４，１５）がＲ，Ｇ，Ｂライン対（７，８，９）の少なくとも１つのライン対（７）をデータメモリ（１６）に接続することを特徴とする画像源と画像再生システムとの間のデータ伝送装置。
【請求項２】
画像源（１）によって画像再生システム（３）に、ディジタルＲ，Ｇ，Ｂビデオ信号（Ｒ，Ｇ，Ｂ）がそれぞれＲ，Ｇ，Ｂライン対（７，８，９）を介して供給可能であり、かつ通信信号（ＳＤＡ）が供給可能である請求項１記載の装置のための画像再生システムにおいて、
画像再生システム（３）がデータ切換器（１４，１５）を備え、画像源（１）が画像再生システム（３）に次の通信動作モード、すなわちＲ，Ｇ，Ｂライン対（７，８，９）の少なくとも１つのライン対（７）を介してデータ伝送を行う通信動作モードを指示し、データ切換器（１４，１５）がＲ，Ｇ，Ｂライン対（７，８，９）の少なくとも１つのライン対（７）をデータメモリ（１６）に接続することを特徴とする画像再生システム。
【請求項３】
画像源（１）によって画像再生システム（３）に、ディジタルＲ，Ｇ，Ｂビデオ信号（Ｒ，Ｇ，Ｂ）がそれぞれＲ，Ｇ，Ｂライン対（７，８，９）を介して供給可能であり、かつ通信信号（ＳＤＡ）が供給可能である請求項１記載の装置のための画像源において、
画像源（１）が、画像再生システム（３）に通信信号（ＳＤＡ）を介して次の通信動作モード、すなわちＲ，Ｇ，Ｂライン対（７，８，９）の少なくとも１つのライン対（７）を介してデータ伝送を行う通信動作モードを指示する通信動作モード指示手段（１３）を有することを特徴とする画像源。
【発明の詳細な説明】
【技術分野】
【０００１】
本発明は、画像源と画像再生システムとの間のデータ伝送のために、画像源によって画像再生システムに、ディジタルＲ（赤），Ｇ（緑），Ｂ（青）ビデオ信号がそれぞれＲ，Ｇ，Ｂライン対を介して供給可能であり、かつ通信信号が供給可能である画像源と画像再生システムとの間のデータ伝送装置に関する。更に、本発明は、この種の画像源と画像再生システムとの間のデータ伝送装置のための画像再生システムおよび画像源に関する。
【背景技術】
【０００２】
ディジタル画像再生システム、例えばＬＣＤ（Ｌｉｑｕｉｄ  Ｃｒｙｓｔａｌ  Ｄｉｓｐｌａｙ；液晶ディスプレイ）モジュールまたはＬＣＤテレビジョンの形での画像再生システムに関して、表示品質への要求が一段と高まっている。この要求を満たすために、種々の補正もしくは調整、例えばピクセルノイズの補償、スイッチング時間の加速、輝度分布の補正および／または画像再生特性線の補正の形での補正が必要である。例えば画像再生特性線の補正は、画像再生システムへの大量のデータの伝送を必要とする。画像再生特性線は、どのように電気信号が輝度およびカラー種類からなる光信号に変換されるかを指定する。画像再生特性線は、いわゆるルックアップテーブルにより、例えば画像再生特性線がＤＩＣＯＭ標準に相当するように調整される。その場合に、この調整のために、それぞれ１つの試験パターンを代表する複数の試験画像が必要である。例えば、前景のために約３３個の灰色階調が、そして背景のために約５０個の灰色階調が調整される。このことは、この種の調整のために画像再生システムに大量のデータが伝達されなければならないことを意味する。
【０００３】
通常、画像源、例えばパーソナルコンピュータのグラフィックカードの形の画像源とＬＣＤモジュールとの間で、データがディジタルで交換される。パーソナルコンピュータは、各Ｒ，Ｇ，Ｂチャネルに対して１つのライン対を有する特別ないわゆるＤＶＩ（＝Ｄｉｇｉｔａｌ  Ｖｉｄｅｏ  Ｉｎｔｅｒｆａｃｅ、ディジタルビデオインターフェース）ケーブルを介して、ＬＣＤモジュールにディジタルＲ，Ｇ，Ｂビデオ信号を伝達する。更に、このＤＶＩケーブルは、特にＤＶＩクロック信号の伝送のためおよびいわゆるＤＤＣ（＝Ｄｉｓｐｌａｙ  Ｄａｔａ  Ｃｈａｎｎｅｌ、ディスプレイデータチャネル）データの伝送のための他のライン対を備えている。このＤＤＣライン対は、パーソナルコンピュータとＬＣＤモジュールとの間で直列の通信を可能にし、１つのデータラインを介して、特にＬＣＤモジュールの仕様情報、例えばデータ伝送速度、ＬＣＤディスプレイの分解能または同期周波数に関する情報が伝達され、そしてクロックラインを介してＤＤＣクロック信号が伝達される。ＤＤＣライン対は、しばしば画像再生特性線の調整のためのデータをＬＣＤモジュールに伝達するためにも使用される。この場合に、Ｉ２Ｃバス仕様にしたがって、このＤＤＣライン対を介するデータ伝送速度は１００ｋＢｉｔ／ｓｅｃにすぎず、このことはデータ伝送が長時間を要求することを意味する。
【０００４】
いわゆるＵＳＢ（＝Ｕｎｉｖｅｒｓａｌ  Ｓｅｒｉａｌ  Ｂｕｓ、ユニバーサルシリアルバス）ケーブルを使用することによって、データ伝送速度を高め、伝送時間を短縮することができる。このことは、もちろん、パーソナルコンピュータとＬＣＤモジュールとの接続のために付加的なケーブルが必要であり、しかもこのケーブル接続のための適切なインターフェースが設けられなければならないことを意味する。
【発明の開示】
【発明が解決しようとする課題】
【０００５】
本発明の課題は、冒頭に述べた画像源と画像再生システムとの間のデータ伝送装置において、データ伝送を簡単化し大量のデータの伝送の伝送時間を短縮することにある。更に、この種の画像源と画像再生システムとの間のデータ伝送装置に適した画像再生システムおよび画像源を提供することにある。
【課題を解決するための手段】
【０００６】
画像源と画像再生システムとの間のデータ伝送装置に関する課題は、本発明によれば、画像源と画像再生システムとの間のデータ伝送のために、画像源によって画像再生システムに、ディジタルＲ（赤），Ｇ（緑），Ｂ（青）ビデオ信号がそれぞれＲ，Ｇ，Ｂライン対を介して供給可能であり、かつ通信信号が供給可能である画像源と画像再生システムとの間のデータ伝送装置において、画像源が、画像再生システムに通信信号を介して次の通信動作モード、すなわちＲ，Ｇ，Ｂライン対の少なくとも１つのライン対を介してデータ伝送を行う通信動作モードを指示する通信動作モード指示手段を有し、画像再生システムがデータ切換器を備え、通信動作モード指示手段が画像再生システムに通信動作モードを指示した場合に、データ切換器がＲ，Ｇ，Ｂライン対の少なくとも１つのライン対をデータメモリに接続することによって解決される。
画像再生システムに関する課題は、本発明によれば、画像源によって画像再生システムに、ディジタルＲ，Ｇ，Ｂビデオ信号がそれぞれＲ，Ｇ，Ｂライン対を介して供給可能であり、かつ通信信号が供給可能である画像源と画像再生システムとの間のデータ伝送装置のための画像再生システムにおいて、画像再生システムがデータ切換器を備え、画像源が画像再生システムに次の通信動作モード、すなわちＲ，Ｇ，Ｂライン対の少なくとも１つのライン対を介してデータ伝送を行う通信動作モードを指示し、データ切換器がＲ，Ｇ，Ｂライン対の少なくとも１つのライン対をデータメモリに接続することによって解決される。
画像源に関する課題は、本発明によれば、画像源によって画像再生システムに、ディジタルＲ，Ｇ，Ｂビデオ信号がそれぞれＲ，Ｇ，Ｂライン対を介して供給可能であり、かつ通信信号が供給可能である画像源と画像再生システムとの間のデータ伝送装置のための画像源において、画像源が、画像再生システムに通信信号を介して次の通信動作モード、すなわちＲ，Ｇ，Ｂライン対の少なくとも１つのライン対を介してデータ伝送を行う通信動作モードを指示する通信動作モード指示手段を有することによって解決される。
【０００７】
主としてディジタルＲ，Ｇ，Ｂビデオ信号の伝送のために設けられている公知の広く普及しているＤＶＩケーブルは、大量のデータ、例えば輝度分布の補正のためおよび／または画像再生特性線の補正のためのデータの形での大量のデータを画像源から画像表示システムへ高速のデータ伝送速度で伝達するために使用することができる。付加的なケーブルは必要でない。
【発明を実施するための最良の形態】
【０００８】
以下において図面の唯一の図を参照しながら実施例に基づいて本発明を更に詳細に説明する。図面の図１は簡略化された形でデータ伝送装置を示す。
【０００９】
適切なグラフィックカードを有するパーソナルコンピュータ１の形の画像源が、公知のＤＶＩケーブル２を介してＬＣＤモジュール３の形の画像再生システムに接続されている。ＤＶＩケーブル２は適切な接続手段４ａ，４ｂを有し、それらのうち接続手段４ａはパーソナルコンピュータ１の接続手段５に、接続手段４ｂはＬＣＤモジュール３の接続手段６に電気的および機械的に接続されている。公知の差込プラグもしくはこれに対応するソケットとして構成することができるこれらの接続手段４ａ，４ｂ，５，６と、ＤＶＩケーブル２とを介して、パーソナルコンピュータ１とＬＣＤモジュール３との間で情報が交換され、このことが図において一点鎖線および破線で示されている。
【００１０】
ＤＶＩケーブル２は、ディジタルＲＧＢビデオ信号の伝送のためのライン対（チャネル）７，８，９を有し、更に、例えば１６５ＭＨｚの第１のクロック周波数を有するＤＶＩクロック信号ＤＶＩ−Ｃｌｏｃｋを伝送するための他のライン対１０を有する。更に、ＤＶＩケーブル２は、ディスプレイデータライン（ＤＤＣ＝Ｄｉｓｐｌａｙ  Ｄａｔａ  Ｃｈａｎｎｅｌ，ディスプレイデータチャネル）１１およびＤＤＣクロックライン１２を有する。ディスプレイデータライン１１を介して、ビデオ動作モードにおいて通常にＬＣＤモジュールの仕様情報ＳＤＡ、例えばＬＣＤディスプレイまたは同期周波数の分解能に関する情報が伝達され、そしてクロックライン１２を介して、１００ｋＨｚの第２のクロック周波数を有するＤＤＣクロック信号ＳＣＬが伝達される。
【００１１】
上述の如くビデオ動作モードにおいて仕様データ伝送のための通信線として通常設けられているディスプレイデータライン１１と、このビデオ動作モードにおいてＲ，Ｇ，Ｂビデオ信号の伝送のために通常設けられているライン対７，８，９とが、次に示されているように、大規模なデータ量の伝送に使用される。このために、ＲＧＢライン対７，８，９の少なくとも１つのライン対７を介して大量のデータの伝送が行われる通信動作モードを設定することができる。明快さのために、実施例において、ライン対７だけを介してデータが伝送されることが仮定されている。本発明の実際の実施例においては、全てのＲ，Ｇ，Ｂ信号チャネルを介してデータが伝送され、それによって、より高速のデータ伝送速度が得られる。パーソナルコンピュータ１上で動作可能でありかつもちろんグラフィック処理プログラムの構成部分であってよいデータ伝送プログラム１３が、ディスプレイデータライン１１を介してマイクロコントローラ１４に次のことを、すなわち、後続のデータ伝送サイクルにおいて、ビデオ動作モードでディジタルＲ，Ｇ，Ｂビデオ信号が伝達されるのではなく、通信動作モードでデータがライン対７を介して伝達されることを指示する。マイクロコントローラ１４は、データ伝送プログラム１３に指示を受領したことを返答し、そして電子スイッチ１５を制御して、パーソナルコンピュータ１のデータ伝送サイクルの期間中にＬＣＤディスプレイ３にライン対７を介して供給されたデータが、ビデオ電子装置（図示されていない。）に伝達されるのではなく、データメモリ１６に書き込まれるようにする。データ伝送が終了すると、マイクロコントローラ１４は、パーソナルコンピュータ１のデータ伝送プログラム１３に、データがメモリ１６に格納されて通信動作モードが終了したことを指示する。パーソナルコンピュータ１は、他の伝送サイクルにおいて、ＬＣＤモジュール３に、他の通信動作モードで他のデータを伝達するか、またはビデオ動作モードでビデオ信号を伝達する。データメモリ１６に格納されたデータは、調整または補正段階において、例えばＬＣＤモジュール３のグラフィックコントローラによって呼出し可能であり、かつ爾後処理可能である。
【図面の簡単な説明】
【００１２】
【図１】本発明によるデータ伝送装置の実施例を示す概略図
【符号の説明】
【００１３】
１        パーソナルコンピュータ
２        ＤＶＩケーブル
３        ＬＣＤモジュール
４ａ      接続手段
４ｂ      接続手段
５        接続手段
６        接続手段
７        Ｒ信号ライン対
８        Ｇ信号ライン対
９        Ｂ信号ライン対
１０        他のライン対
１１        ディスプレイデータライン
１２        ＤＤＣクロックライン
１３        データ伝送プログラム
１４        マイクロコントローラ
１５        電子スイッチ
１６        データメモリ
【図１】
2007159122.tif 000003